(57)【要約】発光装置は、マトリクスと、マトリクスにしっかりと結合される複数の電気ソケットを有し、電気的に２次元で相互接続される電気ソケットの固定的なマトリクスを形成する。１つ以上の発光ダイオードモジュールが、マトリクス内の任意の個別の電気ソケット内で個別に取り外し可能および交換可能である。それぞれ独立した発光ダイオードモジュールは、基部と、発光ダイオードを含み、基部は、電気ソケット内で電気的に適切な接続になるように設定され調整される。
2012510171.tif 000002
【特許請求の範囲】
【請求項１】
高輝度発光ダイオードと、
前記高輝度発光ダイオードに熱的に結合される放熱器と、
前記発光ダイオードに結合され、各々が、大容量の発光を生成するための高輝度発光アレイを形成する接点アレイを有する電気的結合板上の対応する接点に対とされる接点対と、
前記放熱器に熱的に結合されるソケットと、
前記接点対が前記電気的結合板上の対応する接点に対とされたときに、前記ソケットの位置に対して圧縮されるように適合されて、前記電気的結合板との間で密閉された電気的接触を与える密閉部と、
を含むことを特徴とする高輝度発光アレイのための高輝度発光ダイオードモジュール。
【請求項２】
前記発光ダイオードに結合される前記接点対は、前記ソケットに前記モジュールを挿入することにより前記対応する接点に接触する、
ことを特徴とする請求項１に記載の高輝度発光ダイオードモジュール。
【請求項３】
前記高輝度発光ダイオードに結合され、前記電気的結合板に結合して前記発光ダイオードの接点を前記電気的結合板の接点と整列させ対となるガイドに合うように適合されるガイドをさらに含む、
ことを特徴とする請求項１に記載の高輝度発光ダイオードモジュール。
【請求項４】
前記密閉部は、前記モジュールの接点が前記電気的結合板に対とされたときに、外部要因から前記電的接触を密閉して、前記ソケットとで防水性の密閉を与える圧縮性のリングを含む、
ことを特徴とする請求項１に記載の高輝度発光ダイオードモジュール。
【請求項５】
前記圧縮性のリングは、Ｏ−リングまたはフラットワッシャーを含む、
ことを特徴とする請求項４に記載の高輝度発光ダイオードモジュール。
【請求項６】
マトリクスと、
前記マトリクスによって支持される回路板と、
前記マトリクスにしっかりと結合されて電気ソケットのマトリクスを形成する複数の電気ソケットを含み、前記回路板は前記ソケット間に導体を有して、前記全てのソケットに取り外し可能に接続された発光ダイオードモジュールが組内で所望の電圧降下を起こすように前記ソケットの１つ以上の一連の接続の組を生成し、前記ソケットは、各モジュールに対して接点対を与えて、前記ソケットとで防水性の電気接触の状態になるように、各モジュールを密閉的に保つ、
ことを特徴とする高輝度発光ダイオードモジュールアレイ。
【請求項７】
前記ソケットは、所望のパターンで前記回路板を経由して電気的に結合される、
ことを特徴とする請求項６に記載の高輝度発光ダイオードモジュールアレイ。
【請求項８】
前記一連の接続ソケットの組は、各組内に１０以上のソケットを有する、
ことを特徴とする請求項６に記載の高輝度発光ダイオードモジュールアレイ。
【請求項９】
前記一連の接続ソケットの組は、該組内に、供給電圧をモジュールあたりの電圧降下で除算した結果に等しい数のソケットを有する、
ことを特徴とする請求項６に記載の高輝度発光ダイオードモジュールアレイ。
【請求項１０】
マトリクスと、
前記マトリクスによって支持される回路板と、
前記マトリクスにしっかりと結合されて電気ソケットのマトリクスを形成する複数の電気ソケットを含み、前記回路板は前記ソケット間に導体を有して、前記全てのソケットに取り外し可能に接続された発光ダイオードモジュールが組内では所望の電圧降下を起こすように前記ソケットの１つ以上の一連の接続の組を生成し、前記回路板は、各モジュールに対して接点対を与えて、前記ソケットとで防水性の電気接触の状態になるように、各モジュールを密閉的に保ち、
各モジュールは、
高輝度発光ダイオードと、
前記高輝度発光ダイオードに熱的に結合される放熱器と、
前記発光ダイオードに結合され、各々が、電気的結合板上の対応する接点に電気的に結合するように形成される部分を有する接点対と、
モジュールアレイ中の各モジュールが交換可能なように、前記接点対が前記電気的結合板上の対応する接点に電気的に結合されたときに、前記ソケットに対して圧縮されるように適合されて、前記電気的結合板との間で密閉された電気的接触を与える密閉部と、
ことを特徴とする高容量発光応用機器のための高輝度発光ダイオードモジュールアレイ。
【請求項１１】
前記アレイは、広範囲屋外灯光のために十分な数のダイオードモジュールを含む、
ことを特徴とする請求項１０に記載のアレイ。
【請求項１２】
広範囲屋外灯光は、駐車区画、駐車ランプ、高速道路、街路、店舗、倉庫、ガソリンスタンドの天蓋を含む、
ことを特徴とする請求項１０に記載のアレイ。
【請求項１３】
高輝度発光ダイオードと、
前記高輝度発光ダイオードに熱的に結合される放熱器と、
前記放熱器に熱的に結合されるソケットと、
前記発光ダイオードに結合され、各々が、大容量の発光を生成するための高輝度発光アレイを形成する接点アレイを有する電気的結合板上の対応する接点に電気的に結合するように形成される部分を有する接点対と、
前記接点対が前記電気的結合板上の対応する接点に電気的に結合されたときに、前記ソケットの位置に対して圧縮されるように適合されて、前記電気的結合板との間で密閉された電気的接触を与える密閉部と、
を含むことを特徴とする高輝度発光アレイのための高輝度発光ダイオードモジュール。
【請求項１４】
高輝度発光ダイオードと、
前記高輝度発光ダイオードに熱的に結合される放熱器と、
前記発光ダイオードに結合され、各々が、大容量の発光を生成するための高輝度発光アレイを形成する接点アレイを有する電気的結合板上の対応する接点を有するソケットにはめ合わされる接点対とを含み、
前記モジュールは、前記ソケットに挿入されると、前記接点対が前記電気的結合板上の対応する接点にはめ合わされたときに、密閉部に対して前記ソケットの位置に対する圧縮を生じさせて前記電気的結合板との間で密閉された電気的接触を与えさせる、
ことを特徴とする高輝度発光アレイのための高輝度発光ダイオードモジュール。
【請求項１５】
マトリクスによって支持され電気ソケットのマトリクスを形成する複数の電気ソケットを有する高輝度発光ダイオード発光アレイにおいて交換が必要になった高輝度発光ダイオードを確認し、前記回路板は前記ソケット間に導体を有して、前記全てのソケットに接続された発光ダイオードモジュールが組内で所望の電圧降下を起こすように前記ソケットの１つ以上の一連の接続の組を生成し、前記回路板は、各モジュールに対して接点対を与えて、前記ソケットとで防水性の電気接触の状態になるように、各モジュールを密閉的に保ち、
交換が必要と確認された発光ダイオードを有するモジュールを取り外し、
ソケットに交換モジュールを挿入し、該交換モジュールは、高輝度発光ダイオードと、発光ダイオードから伸ばされ各々が電気的結合板上の対応する接点に取り外し可能にはめ合わされるように形成される部分を有する接点対と、前記接点対が前記電気的結合板上の対応する接点にはめ合わされたときに、前記ソケットに対して圧縮されるように適合されて、前記電気的結合板との間で密閉された電気的接触を与える密閉部とを含む、
ことを特徴とする高輝度発光ダイオードの交換方法。
【発明の詳細な説明】
【技術分野】
【０００１】
本特許出願は、２００８年１１月２６日出願のシリアル番号１２／３２４，６６３の米国特許出願の優先権の元でクレームされており、ここに、この出願は、その全体が、引用として組み入れられる。
【背景技術】
【０００２】
発光ダイオードは、長年にわたって、独立してまたは電子機器において背面照明または指示照明として集合的に一緒に集められて使用されてきた。発光効率、耐久性、長寿命、および小型ということにより、発光ダイオードは、電子応用機器のために理想的であった。
【０００３】
高出力発光ダイオードはまた、より強力な発光照射が必要な機器において使用される。いくつかの高輝度機器において、それぞれのセットが共通の電圧降下を有し一連に接続された複数の固定的なセットの発光ダイオードが、望ましい発光を得るために使用される。それらのセットは、レールまたは棒状体にそって形成される。ここで、もしそのレールの任意の一部が欠陥となったときには、製造者によってレールまたは棒状体の全体が交換されるかもしれない。もし製造者が長距離に位置し、またはなすべき修理の在庫をかかえている場合には、そのような修理を得るためには長時間がかかる。そのような応用機器は、屋内または屋外にて使用される。その発光ダイオードは、単一の直線状のグループとして密閉され保護される単一の応用機器として動作するように、電気的に接続される。もしたった１つのダイオードが故障しても、発光ダイオードのグループ全体の交換が必要である。
【図面の簡単な説明】
【０００４】
【図１】一実施形態による発光ダイオードモジュールのマトリクスの平面図である。
【図２Ａ】一実施形態によるソケットを含む発光ダイオードモジュールのためのマトリクスの平面図である。
【図２Ｂ】一実施形態による図２Ｂのマトリクスと対になる回路板の平面図である。
【図３】一実施形態による高輝度発光ダイオードモジュールの透視図である。
【図４】一実施形態によるマトリクスモジュールのための結線されたソケットのブロック概略表現である。
【図５】一実施形態によるソケット内で支持されるモジュールの断面図である。
【図６】一実施形態によるソケットを使って密閉された接続を提供するために異なる接続機構を有するモジュールの断面図である。
【図７】一実施形態によるソケットを使って密閉された接続を提供するために異なる接続機構を有するモジュールの断面図である。
【図８】一実施形態によるソケットを使って密閉された接続を提供するために異なる接続機構を有するモジュールの断面図である。
【図９】一実施形態によるモジュールへの電気的な接続を供給するためのボード上のコネクタの平面図である。
【図１０】一実施形態によるソケット内で支持される他に選択し得るモジュールの断面図である。
【図１１】一実施形態によるボードにプラグインするための他に選択し得るモジュールの断面図である。
【図１２】他の実施形態によるコネクタにプラグインするためのモジュールの平面図および側面図である。
【発明を実施するための最良の形態】
【０００５】
以下の説明において、その一部をなす付属の図面が参照され、その図面において実施可能な具体的な実施形態が例示されることによって示される。これらの実施形態は、当業者がこの発明を実施するために十分詳細に記述されている。そして、本発明の範囲を逸脱することなく、他の実施形態が利用可能であり、構造的、論理的、および電気的な変更をすることができる。従って、以下の実施形態の記述は、限定された意味でとらえられることはなく、本発明の範囲は付加されたクレームによって明らかにされる。
【０００６】
駐車区画や駐車ランプ、高速道路、街路、店舗、倉庫、ガソリンスタンドの天蓋などの広範囲のエリアを照らす大容量の発光を発生するための高輝度発光ダイオード発光器具が、一般的に図１の１００として図示される。図１は、固定のマトリクス１０５を含む発光器具１００の平面図である。複数の高輝度発光ダイオードは、図１において円柱状の冷却構造１２０を介して見えるモジュール１１０の中に入れることができる。この図示において、そのモジュールは、この図の表面から照射される光を供給する。
【０００７】
一実施形態として、冷却構造１２０とモジュール１１０は、マトリクス１０５によって支持される。このマトリクス１０５は、一実施形態として、強度とモジュール１１０を冷たく保つのに助けとなる熱伝導の両方を供給するアルミニウムによって形成されている。回路板のようなボード１３０は、冷却構造１２０と統合して配置することができ、モジュール１１０間で適切な電気伝導体を提供する。一実施形態として、ボード１３０は、電気伝導体を形成するための金属被膜を有する標準的な回路板である。一実施形態として、フレーム１４０は、マトリクスの周囲に形成しマトリクスと統合することができる。
【０００８】
マトリクスおよび冷却構造１２０は、アルミニウムまたは十分な構造的支持を提供し軽量で熱を良く伝導する他の材料によって形成することができる。複数の電気ソケット１５０は、冷却構造間のマトリクス上に形成することができ、一実施形態として、ボード１３０によって二次元内で電気的に相互接続される電気ソケット１５０のマトリクスを形成するように、ボード１３０にしっかり固定される。１つまたはそれ以上の発光ダイオードモジュール１１０は、個別に、移動可能でありマトリクス内のどの個別の電気ソケット内でも交換可能にすることができ、一実施形態では、エポキシまたは適切な熱伝導とボード１３０がソケット１５０の上方でしっかりと適切に保持される保持特性とを有する他の充填材によって、マトリクス１０５内で頑強にしっかりとさせることができる。
【０００９】
図１に示されるように、モジュールを収容できるより多くのソケットを、様々なパターンで提供することができる。その付加的なソケットは、多くの発光ニーズのための適応性を提供する。一実施形態として、そのソケットは、駐車区画や駐車ランプ、高速道路、街路、倉庫、ガソリンスタンドの天蓋のような屋外応用機器のための大容量発光を提供する最適数のモジュールの使用に備えることができる。より小容量の発光機器のためには、より少ないソケットにおいてより少ないモジュールを使用することができる。モジュールを有するソケットのそれぞれの設定においては、各モジュールのための適切な電圧を提供するために、その電気的な接続を変更することができる。
【００１０】
図２Ａは、一実施形態による発光ダイオードモジュールのためのソケット１５０を含むマトリクス１０５の平面図である。図示されるようにマトリックス１０５は冷却構造１２８とソケット１５０を有しており、両者の構造的支持をするためにある深さを有するとともに、熱伝導物質で形成されてもよい。 そのソケットは、熱が容易に冷却構造に伝達するように、冷却構造間に配置される。
【００１１】
図２Ｂは、一実施形態による図２Ｂのマトリクスと対になる（ｍａｔｉｎｇ）ための回路板１３０の平面図である。ボード１３０は、一実施形態として、冷却構造１２０に対応する穴と、マトリクスに接続されるときのソケットに対応するコネクタの組を有する。
【００１２】
図３の３００により詳細に示されるように、それぞれの独立した発光ダイオードモジュールは、基部３１０と発光ダイオード３２０を含むことができる。基部は、電気ソケット１５０内部での適合した電気的係合をするように構成され調整される。発光ダイオードモジュール３００は、複数の異なるタイプのコネクタを通して、電気ソケット１５０内で適合することができる。様々な実施形態として、発光ダイオード３２０は、現在商業的に可能な多くの色のうちの異なる色になり得る。
【００１３】
発光ダイオードモジュール３００の基部３１０は、熱を電気ソケット１５０および発光ダイオード３２０に電力を供給するためにボード１３０上のコネクタと連結される接続リード線または接点３４０から放熱させる放熱径方向フィン３３０を含むことができる。発光ダイオードモジュールは、屋内および屋外の両方の応用機器で使用され得るため、いくつかの実施形態として、適切な動作にとって暖か過ぎないという条件下で与えられる広い大気温度範囲に対して耐えることができる。いくつかの実施形態としてまた、雨、雪、氷、ほこり、時速１５０マイルに達する風等の荒れ模様の天候状態に対しても耐えることができる。放熱フィン３３０は、基部３１０の最上部から放射状に伸ばすことができる。その放熱フィン３３０は、基部３１０の上部から半径方向に拡がる発光ダイオード３２０から熱を引き抜き、発光ダイオードまたは周囲の構成部分に対するダメージを防止する放熱体として振る舞う。そのフィンは、安定性とソケット１５０内のモジュール３００を組み立てまたは交換するときの取り扱いの容易さを可能にする手段を与えることができる熱フィンリング３５０に接続される。
【００１４】
図４は、一般的に４００として示される高輝度発光ダイオードアレイのための結線ボードのブロック図概略表現である。冷却構造のためのボード内の穴は、示されていない。一実施形態として、ボード４１０には、図示しない電源および駆動装置への接続として、正極コネクタ４１５と負極コネクタ４１５が与えられる。正極コネクタ４１５は、コネクタ４２５を経由して、第１番目のソケット４３０に電気的に接続される。コネクタ４１５および４２０の間に２４ボルトの供給（電源）が与えられるとすると、１０個のソケットは電気的に一連（または直列）に連結され、ソケット４３５で終わる。このソケット４３５自身は、コネクタ４４０を経由して、負極コネクタ４２０に接続される。これらの接続は、８個のその他のソケットへのその間の一連の（または直列の）接続と共に、ソケットに差し込まれている各発光ダイオードに対して、２．４ボルトＤＣの電圧降下を与える。これにより、各発光ダイオードが適切な動作のために適切な電圧を受け取ることができることを確実にする。
【００１５】
もし、異なる電源電圧のレベルが与えられたら、および／または、異なる発光ダイオードが異なる電圧降下で使用されたら、電圧降下によってその電源電圧を分割していくつのソケットが一連に接続されるべきかを決定することは、簡単なことである。そのボードは、必要なソケットの数と矛盾しないように再構成することができる。図４に示されるように、一連に接続されたソケットの４つの組があり、それぞれの組は正極および負極のコネクタ４１５および４２０間に接続される。多くの他の構成が可能である。
【００１６】
さらに他の実施形態として、可変電源電力を利用できる。また、モジュールを駆動するために必要な適切な出力に適合するように、連結されているモジュール数をその電源電力と共に変更することができる。全てのソケットは、そのような駆動装置と所望のように差し込まれたモジュールと共に、アクティブにすることができ、いくつかの実施形態として、モジュールは、電源電力と駆動装置の回路構成と矛盾しないように、連続的に取り外しまたは付加することができる。一実施形態として、全てのソケットを、一連に接続することができる。ソケット内のモジュールが故障した場合に、一連の（または直列の）接続を維持するために開放ソケットを短絡回路とするためのプラグを利用することができ、あるいは、一連の（または直列の）接続を維持するために適当なバイパス回路構成を利用することができる。或いは、いくつかの発光応用機器では、ソケットは利用されない。
【００１７】
一実施形態として、現在のソケットは楕円形状に整列されるが、多くの他の形状を容易に利用することができる。ボード４１０は、審美的デザインを目的とすることに適した形状を与えるソケットに一致するのにふさわしく形成することができる。同様に、図１に示されるように、マトリクス１０５もまた、「ｕ」形状とか「インゲンマメ」形状などのちょっとした名前のように、任意の望まれる形状にだいたい示されるような矩形や円形から多くの異なる形状をとることができる。
【００１８】
いくつかの実施形態として、マトリクス１０５およびボード１３０は、アルミニウムや熱を散逸させるのに適したその他の材料などの任意の耐天候金属で作ることができる。一実施形態として、電気ソケットは、相互に均等に配設された三角マトリクスであり、また円柱マトリクス１０５の一部であってよい。
【００１９】
一実施形態として、電気ソケット１５０は、ねじ込みまたはエジソンタイプ接続、バヨネットタイプ接続、および図５の５００に示される対となるまたは摩擦接続などを含み、またこれらには限定されない異なる接続タイプを有する取り外し可能および交換可能発光ダイオードモジュールを収容するように設計できる。
【００２０】
図５において、モジュール５０５は、電導ピン５１０、５１５を経由してボード５３０内の対となるコネクタ５２０、５２５に固定される。電導ピンおよび対となるコネクタは、ソケット５３５内でモジュール５０５をしっかりと固定する対となるまたは摩擦接続を提供する。一実施形態として、対となるコネクタ５２０および５２５には、ピンが適切に挿入され雌対となるコネクタ５２０、５２５に導き込まれることを確実にするガイド５２６を与えることができる。これらは、一実施例として真ちゅうで作られ、そして、バネによって側面から保持されながらピン５１０、５１５にかみ合う。様々な実施形態として、雌コネクタは、ボードの上側に一部分伸ばされても良いし、ボードの内部側に伸ばされてもよい。ボードの内部側の場合、ボードは、本質的に、ピンの直径よりも広い開口を持ち、対となるコネクタの対となるまたは摩擦接続部分のポイントに向かって狭くなる。
【００２１】
一実施形態として、リング、ディスク、またはワッシャー５４０のような密閉部材を、モジュール５０５とソケット５３５の表面の間に配置することができる。密閉部材５４０は、モジュール５０５がピンと対となる  コネクタによって十分に固定されたときに、押し縮められて水漏れしない密閉を与え、そのような接続によって形成される電気接触を低下させるかもしれない要素から電気的接続を保護する。様々な実施形態として、密閉部材は、ゴム、ラテックス、テフロン、シリコンゴム、または同様の圧縮可能な材料によって形成することができる。いくつかの実施形態として、ボード５３０の厚さと、ソケットに装着されたときのモジュールからのコネクタ５２０、５２５の距離とに関連してより大きな許容誤差を与えるために、圧縮性密閉部材は、中央部が中空となるように形成することができる。さらに他の実施形態として、密閉部材は、広範囲の程度の圧縮にわたって密閉を与えるように働く。
【００２２】
さらに他の実施形態として、モジュール５０５と同じ形状でプラグを形成することができる。このプラグは、対となるコネクタ５２０、５２５にはめられて動作モジュールとして使用されないソケット周りに対して密閉を与えるピンを有する。そのようなプラグのピンは、短絡回路ショートが生じないことを確実にするように相互に電気的に絶縁され、あるいは、ソケットの既配線接続の連続性を適切に維持するような短絡回路を与える。そのようなプラグは、全てのソケットがモジュール５０５を含んではいない形態で適切に使用されたときに、ボードにおける全ての電気的接続の完全性を確実にする。
【００２３】
モジュールを密閉された方式で簡単に取り外したり交換したりできることは、高輝度大容量マトリクス発光ソリューションの補修管理と修理を容易にする。それぞれの独立した発光ダイオードモジュールは、マトリクス内の個々のソケットから取り外すことができる。個々の発光ダイオードモジュールは、個別に交換できるため、もし１つのモジュールが故障しても、電気ソケットまたはモジュールの全体の束またはグループを交換する必要はない。故障したモジュールの単純な取り外しまたは交換を迅速に行える。さらに、異なる色を発光する発光ダイオードモジュールを、マトリクス内で再編成して電気ソケットまたはモジュールの全体の束の交換なしに、異なる色の配置を作り出すことができる。
【００２４】
モジュール５０５はまた、発光ダイオードモジュール５０５に結合され保護的な密閉を与えるレンズ５５０を図解している。レンズ５５０は、実際の発光ダイオードの周囲の充填部材の上に配置されてぴったり接着させることができる。充填部材が凝固したときに、レンズは充填部材にしっかりと固定される。多くの異なるタイプおよび形状のレンズを使用することができる。広範囲高輝度発光応用機器に対しては、レンズは指向性照明を与えるように形成でき、または、アレイ内の全てのモジュールが適切に方向付けられ、所望の灯光パターンが駐車区画や駐車ランプ、高速道路、街路、店舗、倉庫、ガソリンスタンドの天蓋などの広範囲を照射するように与えられるているような広範囲分散灯光ビームを与えるように形成できる。同様に、多くの異なる応用機器に対して異なるレンズを用いることができる。スポットライトを形成するときには、各モジュールからの狭いビームを要求することができる。
【００２５】
モジュール５０５には、ガイド５４５を与えることができる。このガイド５４５は、ソケット内の対となるガイドとともに、モジュールが望みどおりの指向性をもってソケット内に挿入されることを確実にする。一実施形態として、ガイド５４５は、モジュールから外に向かって伸びる隆起部であり、ガイドを与えるための溝をモジュール内において対となるように形成したものとすることができる。さらに他の実施形態として、ソケット上の隆起部と対となるように、その溝をモジュール上に形成することができる。様々な実施形態として、多くの異なる形状および溝と隆起部の組合せを与えることができる。
【００２６】
さらに他の実施形態として、ボード５３０は、充填材料５６０、およびさらにボート５６５と共に形成することができる。そのような組合せは、ボード上で導体に対するシールを与え、構成部材からそれらを保護する。
【００２７】
図６は、一般にエジソンコネクタと呼ばれるねじ込みタイプのコネクタのさらなる実施形態６００である。密閉部材もまた与えられている。この実施形態において、ソケットとして単純なシリンダーを使用できる。モジュールがソケットと保持力のある関係で十分にかみ合ったときに、密閉部材か、を有するモジュールの最上部が、ソケットの最上部に対して単純に圧縮される。
【００２８】
図７は、バヨネット（ｂａｙｏｎｅｔ）タイプコネクタのさらなる実施形態７００である。同様に圧縮される密閉部材もまた有する。
【００２９】
図８は、図５のモジュール５０５に対する他に選択し得る実施形態８００である。ここでは、密閉部材８０５は、モジュール８００の基部８１０の上方に配置される。ピンもまた同様に、ボード上のコネクタと摩擦力をもったはまり込みを与える。
【００３０】
図９は、ソケット９００の底部のブロック概要図である。そのソケット９００にはモジュールのピンが挿入され得る。３組の異なるように方向付けられたピンの組のコネクタを表す、６個の開口９０５が図示されている。また、モジュールが適切に挿入されるようにガイドを与える溝も示されている。
【００３１】
図１０は、ソケット１５０に差し込まれるモジュール１０００の他に選択し得る実施形態である。この実施形態において、ソケット１５０は、モジュール受け取り端に、つば１００５を有する。このモジュール受け取り端は、つば１００５とモジュール１０００の基部上に形成されるリング１０１５との間の密閉材料１０１０を圧縮する表面を与えるように作用する。ソケット１５０はまた、ボード１０２５の第２の端部上に形成される第２のつば１０２０を有する。この実施形態において、ピン１０２７、１０２８は、雌コネクタ１０３５および１０４０とはまり合うために、モジュール１０００の本体１０３０から短距離だけ伸びている。いくつかの実施形態として、雌コネクタ１０３５、１０４０は、回路板を超えて圧縮性粘着性材料１０４５内に伸びて形成することができる。
【００３２】
図１１は、他に選択可能なモジュール１０００を示している。ここで、雌コネクタ１１０５および１１１０は、ボード１１２０と１１２５の間の柔軟な粘着性材料１１１５に、十分に伸びている。材料１１１５は、雌コネクタ１１０５および１１１０を通して、ピン上の保持力を維持するための付加的なバネの力を与える。一実施形態として、材料１１１５は、液体ゴム、ラテックス、またはボード上方でしなやかで良好な保持力を与えるシリコンタイプ材料とすることができる。
【００３３】
図１２は、モジュール１２３０のピンとはまり合うボード１２１５上の雌コネクタ１２１０の複数組の平面図である。対として形成された隆起部１２３５の組を有するモジュール１２３０をガイドするために、溝１２２０がまた、コネクタに一致するソケットの側面内に与えられる。一実施形態として、モジュールは、そのモジュールを回転させて挿入することにより、３つの異なるコネクタ組のうちの１組に結合させることができる。一実施形態として、モジュールが挿入される位置をＡ、Ｂ、およびＣと参照することとする。位置Ａは、８０個のモジュールがソケットに挿入されて、その光量を必要とする応用機器のために灯光を与えるボード上での結線に対応することができる。位置Ｂは、１２０個のモジュールを収容し、位置Ｃは１６０個のモジュールを収容することができる。異なる実施形態として、特定数のモジュールを、相当数変更することができる。一実施形態として、２つの溝１２２０を与え、そして、応用機器の要求に依存してモジュールが正しく挿入されることを確実にするために、それらの溝が異なる位置に回転されるようにすることができる。ユーザがモジュールを正しいソケットに挿入することを助けるために、それぞれの異なる設定のために使用されるテンプレートを用いることができる。テンプレートの使用後に、残りの開放ソケットには、灯光機器が正しく密閉されることを確実にするために、プラグを挿入することができる。
【００３４】
３７Ｃ．Ｆ．Ｒ．§１．７２（ｂ）に従って、読者が技術的開示の特徴と要点を確認することを可能にするために、要約書が与えられている。その要約書は、クレームの範囲または意味を解釈しまたは限定するために使用されないことを理解して提出される。
【図１】
2012510171.tif 000003
【図３】
2012510171.tif 000004
【図４】
2012510171.tif 000005
【図５】
2012510171.tif 000006
【図６】
2012510171.tif 000007
【図７】
2012510171.tif 000008
【図８】
2012510171.tif 000009
【図９】
2012510171.tif 000010
【図１０】
2012510171.tif 000011
【図１１】
2012510171.tif 000012
【図１２】
2012510171.tif 000013
【図２Ａ】
2012510171.tif 000014
【図２Ｂ】
2012510171.tif 000015
【国際調査報告】
2012510171.tif 000016
2012510171.tif 000017